【手続補正書】
【提出日】平成19年1月15日(2007.1.15)
【手続補正１】
【補正対象書類名】特許請求の範囲
【補正対象項目名】全文
【補正方法】変更
【補正の内容】
【特許請求の範囲】
【請求項１】
通信インターフェースを介して画像供給デバイスからデータを受信する通信装置であって、
前記画像供給デバイスからのデータ送信要求を受信すると、前記データ送信要求に対応する送信対象データに関する情報を取得する取得手段と、
前記取得手段により取得した前記情報に応じて、前記送信対象データを複数回に分けて受信するか、前記送信対象データを一括受信するかを決定する決定手段と、
前記決定手段により前記送信対象データを複数回に分けて受信すると決定されると、前記画像供給デバイスに対して部分データを複数回要求し、当該部分データの単位で前記送信対象データを受信して処理する分割処理手段と、
を有することを特徴とする通信装置。
【請求項２】
前記通信インターフェースはＵＳＢであり、前記画像供給デバイスはＵＳＢスレーブで前記通信装置がＵＳＢホストであることを特徴とする請求項１に記載の通信装置。
【請求項３】
前記決定手段は、前記情報に含まれる前記送信対象データのデータサイズに基づいて、前記送信対象データを複数回に分けて受信するか、前記送信対象データを一括受信するかを決定することを特徴とする請求項１に記載の通信装置。
【請求項４】
前記決定手段は、前記情報に含まれる前記送信対象データの属性に基づいて、前記送信対象データを複数回に分けて受信するか、前記送信対象データを一括受信するかを決定することを特徴とする請求項１に記載の通信装置。
【請求項５】
前記分割処理手段は、前記部分データの取得回数の総数と、実際に取得した前記部分データの取得回数とに基づいて前記部分データの取得の進捗状況を報知することを特徴とする請求項１に記載の通信装置。
【請求項６】
通信インターフェースを介して画像供給デバイスからデータを受信する通信装置の通信制御方法であって、
前記画像供給デバイスからのデータ送信要求を受信すると、前記データ送信要求に対応する送信対象データに関する情報を取得する取得工程と、
前記取得工程で取得した前記情報に応じて、前記送信対象データを複数回に分けて受信するか、前記送信対象データを一括受信するかを決定する決定工程と、
前記決定工程で前記送信対象データを複数回に分けて受信すると決定されると、前記画像供給デバイスに対して部分データを複数回要求し、当該部分データの単位で前記送信対象データを受信して処理する分割処理工程と、
を有することを特徴とする通信制御方法。
【請求項７】
前記通信インターフェースはＵＳＢであり、前記画像供給デバイスはＵＳＢスレーブで前記通信装置がＵＳＢホストであることを特徴とする請求項６に記載の通信制御方法。
【請求項８】
前記決定工程では、前記情報に含まれる前記送信対象データのデータサイズに基づいて、前記送信対象データを複数回に分けて受信するか、前記送信対象データを一括受信するかを決定することを特徴とする請求項６に記載の通信制御方法。
【請求項９】
前記決定工程では、前記情報に含まれる前記送信対象データの属性に基づいて、前記送信対象データを複数回に分けて受信するか、前記送信対象データを一括受信するかを決定することを特徴とする請求項６に記載の通信制御方法。
【請求項１０】
前記分割処理工程では、前記部分データの取得回数の総数と、実際に取得した前記部分データの取得回数とに基づいて前記部分データの取得の進捗状況を報知することを特徴とする請求項６に記載の通信制御方法。
【請求項１１】
請求項６乃至１０のいずれか１項に記載の通信制御方法をコンピュータに実行させることを特徴とするプログラム。
【請求項１２】
請求項１１に記載のプログラムを記憶していることを特徴とする、コンピュータにより読取可能な記憶媒体。
【請求項１３】
画像供給デバイスと通信インターフェースを介して直接通信し、前記画像供給デバイスから画像データを受信して記録する記録装置であって、
前記画像供給デバイスからの記録要求を受信する受信手段と、
前記受信手段により前記記録要求を受信すると前記画像供給デバイスから供給されるべき画像データの量を取得する取得手段と、
前記取得手段により取得した前記画像データの量を一度に受信して処理可能かどうかを判定する判定手段と、
前記判定手段により処理可能でないと判定されると、前記画像データを複数回に分けて前記画像供給デバイスから受取るように制御する制御手段と、
を有することを特徴とする記録装置。
【請求項１４】
前記判定手段は、前記記録装置の有している受信データを記憶するメモリの空き容量と前記画像データの量との比較に基づいて判定することを特徴とする請求項１３に記載の記録装置。
【請求項１５】
前記制御手段は、前記判定手段により処理可能でないと判定されると、前記画像供給デバイスに記憶されている前記画像データのアドレスと転送データ量を指定して前記画像供給デバイスに画像データを要求することを特徴とする請求項１３に記載の記録装置。
【請求項１６】
画像供給デバイスと通信インターフェースを介して直接通信し、前記画像供給デバイスから画像データを受信して記録する記録装置であって、
前記画像供給デバイスからの記録要求を受信する受信手段と、
前記受信手段により前記記録要求を受信すると前記画像供給デバイスから供給されるべき画像ファイル情報を取得する取得手段と、
前記取得手段により取得した前記画像ファイル情報にサムネイル画像が含まれているかどうかを判定する判定手段と、
前記判定手段により前記サムネイル画像が含まれていると判定され、かつインデックス記録が指示されている場合は前記画像供給デバイスから前記サムネイル画像を受取るように制御する制御手段と、
を有することを特徴とする記録装置。
【請求項１７】
前記通信インターフェースはＵＳＢであることを特徴とする請求項１３乃至１６のいずれか１項に記載の記録装置。
【請求項１８】
前記画像供給デバイスはデジタルカメラであることを特徴とする請求項１３乃至１７のいずれか１項に記載の記録装置。
【請求項１９】
画像供給デバイスと記録装置とが通信インターフェースを介して直接通信し、前記画像供給デバイスから前記記録装置に画像データを送信して記録する記録システムであって、
前記画像供給デバイスから前記記録装置へ記録要求を送信すると、前記画像供給デバイスから供給されるべき画像データの量を前記記録装置から前記画像供給デバイスに問い合わせて前記画像データの量を取得する取得手段と、
前記取得手段により取得した前記画像データの量を前記記録装置で一度に受信して処理可能かどうかを判定する判定手段と、
前記判定手段により処理可能でないと判定されると、前記画像データを複数回に分けて前記画像供給デバイスから前記記録装置に送信するように制御する制御手段と、
を有することを特徴とする記録システム。
【請求項２０】
前記判定手段は、前記記録装置の有している受信データを記憶するメモリの空き容量と前記画像データの量との比較に基づいて判定することを特徴とする請求項１９に記載の記録システム。
【請求項２１】
前記制御手段は、前記判定手段により処理可能でないと判定されると、前記記録装置から前記画像供給デバイスに記憶されている前記画像データのアドレスと転送データ量を指定して前記画像供給デバイスに画像データを要求することを特徴とする請求項１９又は２０に記載の記録システム。
【請求項２２】
画像供給デバイスと記録装置とが通信インターフェースを介して直接通信し、前記画像供給デバイスから前記記録装置に画像データを送信して記録する記録システムであって、
前記画像供給デバイスからの記録要求を受信すると、前記画像供給デバイスから供給されるべき画像ファイル情報を前記画像供給デバイスから取得する取得手段と、
前記取得手段により取得した前記画像ファイル情報にサムネイル画像が含まれているかどうかを判定する判定手段とを有し、
前記判定手段により前記サムネイル画像が含まれていると判定され、かつインデックス記録の記録要求がなされている場合は、前記記録装置は前記画像供給デバイスから前記サムネイル画像を受取って記録することを特徴とする記録システム。
【請求項２３】
前記通信インターフェースはＵＳＢであることを特徴とする請求項１９乃至２２のいずれか１項に記載の記録システム。
【請求項２４】
画像供給デバイスと記録装置とが通信インターフェースを介して直接通信し、前記画像供給デバイスから前記記録装置に画像データを送信して記録する記録システムの制御方法であって、
前記画像供給デバイスから前記記録装置に記録要求を送信する送信工程と、
前記記録要求に応答して、前記画像供給デバイスから供給されるべき画像データの量を取得する取得工程と、
前記取得工程で取得した前記画像データの量を前記記録装置で一度に受信して処理可能かどうかを判定する判定工程と、
前記判定工程で処理可能でないと判定されると、前記画像データを複数回に分けて前記画像供給デバイスから前記記録装置に送信するように制御する制御工程とを有し、
前記記録装置は前記複数回に分けられた画像データを受信する場合は、その分けられた画像データの単位で記録を行うことを特徴とする制御方法。
【請求項２５】
画像供給デバイスと記録装置とが通信インターフェースを介して直接通信し、前記画像供給デバイスから前記記録装置に画像データを送信して記録する記録システムの制御方法であって、
前記画像供給デバイスから前記記録装置に記録要求を送信する送信工程と、
前記記録要求に応答して、前記画像供給デバイスから供給されるべき画像ファイル情報を取得する取得工程と、
前記取得工程で取得した前記画像ファイル情報にサムネイル画像が含まれているかどうかを判定する判定工程と、
前記判定工程で前記サムネイル画像が含まれていると判定され、かつ前記記録装置でインデックス記録が指示されている場合は前記画像供給デバイスに前記サムネイル画像を要求する要求工程と、
前記サムネイル画像に基づいてインデックス記録を行う記録工程と、
を有することを特徴とする制御方法。
【手続補正２】
【補正対象書類名】明細書
【補正対象項目名】０００８
【補正方法】変更
【補正の内容】
【０００８】
上記目的を達成するために本発明の記録装置は以下のような構成を備える。即ち、
画像供給デバイスと通信インターフェースを介して直接通信し、前記画像供給デバイスから画像データを受信して記録する記録装置であって、
前記画像供給デバイスからの記録要求を受信する受信手段と、
前記受信手段により前記記録要求を受信すると前記画像供給デバイスから供給されるべき画像データの量を取得する取得手段と、
前記取得手段により取得した前記画像データの量を一度に受信して処理可能かどうかを判定する判定手段と、
前記判定手段により処理可能でないと判定されると、前記画像データを複数回に分けて前記画像供給デバイスから受取るように制御する制御手段と、
を有することを特徴とする。
【手続補正３】
【補正対象書類名】明細書
【補正対象項目名】０００９
【補正方法】変更
【補正の内容】
【０００９】
上記目的を達成するために本発明の記録システムは以下のような構成を備える。即ち、
画像供給デバイスと記録装置とが通信インターフェースを介して直接通信し、前記画像供給デバイスから前記記録装置に画像データを送信して記録する記録システムであって、
前記画像供給デバイスから前記記録装置へ記録要求を送信すると、前記画像供給デバイスから供給されるべき画像データの量を前記記録装置から前記画像供給デバイスに問い合わせて前記画像データの量を取得する取得手段と、
前記取得手段により取得した前記画像データの量を前記記録装置で一度に受信して処理可能かどうかを判定する判定手段と、
前記判定手段により処理可能でないと判定されると、前記画像データを複数回に分けて前記画像供給デバイスから前記記録装置に送信するように制御する制御手段と、
を有することを特徴とする。
【手続補正４】
【補正対象書類名】明細書
【補正対象項目名】００１０
【補正方法】変更
【補正の内容】
【００１０】
上記目的を達成するために本発明の記録システムの制御方法は以下のような工程を備える。即ち、
画像供給デバイスと記録装置とが通信インターフェースを介して直接通信し、前記画像供給デバイスから前記記録装置に画像データを送信して記録する記録システムの制御方法であって、
前記画像供給デバイスから前記記録装置に記録要求を送信する送信工程と、
前記記録要求に応答して、前記画像供給デバイスから供給されるべき画像データの量を取得する取得工程と、
前記取得工程で取得した前記画像データの量を前記記録装置で一度に受信して処理可能かどうかを判定する判定工程と、
前記判定工程で処理可能でないと判定されると、前記画像データを複数回に分けて前記画像供給デバイスから前記記録装置に送信するように制御する制御工程とを有し、
前記記録装置は前記複数回に分けられた画像データを受信する場合は、その分けられた画像データの単位で記録を行うことを特徴とする。
【手続補正５】
【補正対象書類名】明細書
【補正対象項目名】００１１
【補正方法】変更
【補正の内容】
【００１１】
また本発明の通信装置は以下のような構成を備える。即ち、
通信インターフェースを介して画像供給デバイスからデータを受信する通信装置であって、
前記画像供給デバイスからのデータ送信要求を受信すると、前記データ送信要求に対応する送信対象データに関する情報を取得する取得手段と、
前記取得手段により取得した前記情報に応じて、前記送信対象データを複数回に分けて受信するか、前記送信対象データを一括受信するかを決定する決定手段と、
前記決定手段により前記送信対象データを複数回に分けて受信すると決定されると、前記画像供給デバイスに対して部分データを複数回要求し、当該部分データの単位で前記送信対象データを受信して処理する分割処理手段と、
を有することを特徴とする。
【手続補正６】
【補正対象書類名】明細書
【補正対象項目名】発明の名称
【補正方法】変更
【補正の内容】
【発明の名称】記録装置、通信装置及び記録システムとその制御方法